(57)【要約】      （修正有）【課題】振動を吸収できる電気プラグの提供。【解決手段】電気プラグ１は、外側ハウジング２と、組立方向Ｍに沿って外側ハウジング２に差込み可能な内側ハウジング４とを有し、かつ、組立方向Ｍに対して横断方向に弾性偏向可能な少なくとも１つの押圧要素８と、その押圧要素８によって内側ハウジング４と外側ハウジング２との間に生じる圧入接続とを有する。弾性偏向可能な押圧要素８により、押圧要素８が組立方向Ｍに対して横断方向に偏向し、過度の加圧による大きい差込み力を防止できる。押圧要素８により、内側ハウジング４と外側ハウジング２との間に圧入接続が生じ、内側ハウジング４と外側ハウジング２との間の間隙３４が閉じ、内側ハウジング４が外側ハウジング２内に固定される。押圧要素８により、発生する振動を吸収することができる遊びのない小型電気プラグ１。【選択図】図１
2019165000.tif 000002
【特許請求の範囲】
【請求項１】
外側ハウジング（２）と、組立方向（Ｍ）に沿って前記外側ハウジング（２）に差込み可能な内側ハウジング（４）とを有する電気プラグ（１）であって、前記組立方向（Ｍ）に対して横断方向に弾性偏向可能な少なくとも１つの押圧要素（８）と、前記少なくとも１つの押圧要素（８）によって前記内側ハウジング（４）と前記外側ハウジング（２）との間に生じる圧入接続とを特徴とする電気プラグ。
【請求項２】
前記少なくとも１つの押圧要素（８）が、前記内側ハウジング（４）と前記外側ハウジング（２）との間で前記内側ハウジング（４）および／または前記外側ハウジング（２）に装備されていることを特徴とする、請求項１に記載の電気プラグ（１）。
【請求項３】
前記少なくとも１つの押圧要素（８）は、前記内側ハウジング（４）と前記外側ハウジング（２）との間の間隙（３４）にわたって、前記組立方向（Ｍ）に対して横断方向に延びていることを特徴とする、請求項１または２に記載の電気プラグ（１）。
【請求項４】
前記内側ハウジング（４）または前記外側ハウジング（２）は、前記少なくとも１つの押圧要素（８）と一体部品（１０）として一体形成されていることを特徴とする、請求項１から３のいずれか一項に記載の電気プラグ（１）。
【請求項５】
前記少なくとも２つの押圧要素（８）が、前記内側ハウジング（４）と前記外側ハウジング（２）との間で２つの相互に隣接する外側面（７）に配置されていることを特徴とする、請求項１から４のいずれか一項に記載の電気プラグ（１）。
【請求項６】
前記少なくとも２つの押圧要素（８）が、前記内側ハウジング（４）と前記外側ハウジング（２）との間で相互に対向する外側面（７）に配置されていることを特徴とする、請求項１から５のいずれか一項に記載の電気プラグ（１）。
【請求項７】
前記少なくとも１つの押圧要素（８）が、２つの相互に隣接する外側面（７）の角部（３８）にわたって延びていることを特徴とする、請求項１から６のいずれか一項に記載の電気プラグ（１）。
【請求項８】
前記少なくとも１つの押圧要素（８）はばねタブ（１６）を有することを特徴とする、請求項１から７のいずれか一項に記載の電気プラグ（１）。
【請求項９】
前記少なくとも１つの押圧要素（８）は、前記外側ハウジング（２）から前記内側ハウジング（４）へ、または前記内側ハウジング（４）から前記外側ハウジング（２）へ突出する少なくとも１つのブラケット（１２）を備えていることを特徴とする、請求項１から８のいずれか一項に記載の電気プラグ（１）。
【請求項１０】
突出する接触圧力面（２０）が前記少なくとも１つの押圧要素（８）に配置され、相互差込みプラグ（１）の場合に、前記接触圧力面で、前記押圧要素（８）が対向する前記外側ハウジング（２）または前記内側ハウジング（４）に支持されることを特徴とする、請求項１から９のいずれか一項に記載の電気プラグ（１）。
【請求項１１】
前記接触圧力面（２０）は、対向する前記外側ハウジング（２）または前記内側ハウジング（４）の支持面（２２）に対して相補的であるように構成されていることを特徴とする、請求項１０に記載の電気プラグ（１）。
【請求項１２】
前記少なくとも１つの押圧要素（８）は、前記組立方向（Ｍ）にＵ字形断面を有することを特徴とする、請求項１から１１のいずれか一項に記載の電気プラグ（１）。
【請求項１３】
前記少なくとも１つの押圧要素（８）は、前記外側ハウジング（２）または前記内側ハウジング（４）の壁から成形されていることを特徴とする、請求項１から１２のいずれか一項に記載の電気プラグ（１）。
【請求項１４】
長手方向軸（Ｌ）に沿って延び、外側ハウジング（２）に組立方向（Ｍ）に挿入可能であるように構成されている基体（６）を有する内側ハウジング（４）であって、前記内側ハウジング（４）と前記外側ハウジング（２）との間に圧入接続を生じさせるために前記内側ハウジング（４）の方向で前記組立方向（Ｍ）に対して横断方向に偏向可能である押圧要素（８）を特徴とする内側ハウジング（４）。
【請求項１５】
内側ハウジング（４）を受けるためのレセプタクル（２４）を有する外側ハウジング（２）であって、前記レセプタクル（２４）に配置され、前記内側ハウジング（４）と前記外側ハウジング（２）との間に圧入接続を生じさせるために前記外側ハウジング（２）の方向に偏向可能である押圧要素（８）を特徴とする外側ハウジング（２）。
【発明の詳細な説明】
【技術分野】
【０００１】
本発明は、外側ハウジングと、組立方向に沿って外側ハウジングに差込み可能な内側ハウジングとを有する電気プラグに関する。本発明はさらに、長手方向軸に沿って延び、外側ハウジングに組立方向に挿入可能であるように構成されている基体を有する内側ハウジングと、内側ハウジングを組立方向に受けるためのレセプタクル開口部を備えている外側ハウジングとに関する。
【背景技術】
【０００２】
外側ハウジングに差込み可能な内側ハウジングを有する電気プラグは、しばしば大きい公差を有し、公称設計に遊びがない。この種のプラグは、例えば、特に自動車産業においてレセプタクルハウジングに挿入されるチャンバブロックとして使用されることが多い。
【発明の概要】
【発明が解決しようとする課題】
【０００３】
公差によって、一方では、取付け中に過度の加圧が生じることがあり、その結果、定義できない大きい差込み力が生じ、メンテナンスの際に内側ハウジングを取り出すことが難しくなる。他方では、内側ハウジングと外側ハウジングとの間に遊びが生じることがあり、その結果、振動および外側ハウジングに対する内側ハウジングの動きにより電気プラグの耐用年数が短くなる。さらに、振動により相手側プラグのコンタクトを失う、または損傷することがある。
したがって、本発明の課題は、取付けおよび取外しが簡単で耐用年数の長い電気プラグを作製することである。
【課題を解決するための手段】
【０００４】
この課題は、冒頭に記載の電気プラグに関して、組立方向に対して横断方向に弾性偏向可能な少なくとも１つの押圧要素により、かつ少なくとも１つの押圧要素によって内側ハウジングと外側ハウジングとの間に生じる圧入接続により解決される。
【０００５】
さらに、この課題は、内側ハウジングと外側ハウジングとの圧入接続を生じさせるために内側ハウジングの方向で組立方向に対して横断方向に偏向可能な少なくとも１つの押圧要素を有する、冒頭に記載の内側ハウジングにより解決される。
【０００６】
さらに、この課題は、レセプタクルに配置され、内側ハウジングと外側ハウジングとの圧入接続を生じさせるために外側ハウジングの方向に偏向可能な少なくとも１つの押圧要素を有する、冒頭に記載の外側ハウジングにより解決される。
【０００７】
組立方向に対して横断方向に弾性偏向可能な押圧要素により、押圧要素を取付け中に偏向させて、結果として生じ得る過度の加圧および大きい差込み力を避けることができる。これにより、内側ハウジングを外側ハウジングに組立方向に簡単に差し込むことができる。押圧要素は内側ハウジングと外側ハウジングとの圧入接続を生じさせ、これにより、内側ハウジングを外側ハウジング内に遊びなく固定することができる。押圧要素の弾性により、発生する振動を押圧要素により動的に吸収することができ、外側ハウジングに対する内側ハウジングの動きを制限することができる。したがって、電気プラグの摩耗が減り、耐用年数が長くなる。圧入接続により、内側ハウジングをメンテナンスのために外側ハウジングから容易かつ迅速に、大きな力を使わずに取り出すことができる。
【０００８】
本発明による解決策を、以下の構成およびさらなる発展によりさらに改良することができる。これらの構成および発展は各々それ自体有利であり、希望に応じて互いに組み合わせることができる。
【０００９】
第１の有利な構成によれば、少なくとも１つの弾性押圧要素を、内側ハウジングと外側ハウジングとの間で内側ハウジングおよび／または外側ハウジングに装備することができる。これにより、少なくとも１つの押圧要素が取付け中に組立方向に対して横断方向に確実に偏向し、少なくとも１つの押圧要素のばね力により内側ハウジングと外側ハウジングとの間で圧入接続が確実に生じる。押圧要素を、相互差込みプラグの場合に内側ハウジングと外側ハウジングとの間の間隙に位置させてもよく、外側ハウジングまたは内側ハウジングの対向する支持面で支持してもよい。少なくとも１つの押圧要素が内側ハウジングに装備され、外側ハウジングに接触可能であることが好ましい。これにより、水密な外側ハウジングを有する小型プラグの構成が可能になる。
【００１０】
好ましい構成によれば、少なくとも１つの弾性押圧要素と内側ハウジングとを一体部品として一体に形成してもよい。この代わりとして、少なくとも１つの弾性押圧要素と外側ハウジングとを一体部品として一体に形成してもよい。これにより、押圧要素を有するハウジングの簡単な製造が可能になり、個々の構造部品の数を減らすことができる。
【００１１】
小型電気プラグを作製するために、少なくとも１つの押圧要素を、内側ハウジングまたは外側ハウジングの壁から成形してもよい。壁は、外側ハウジングまたは内側ハウジングに向って突出するばねタブを有することができ、このばねタブを壁の方向に偏向させることができる。ばねタブを、例えば、壁の切抜きにより形成してもよく、内側ハウジングまたは外側ハウジングの方向に傾く少なくとも１つのばねアームにより、内側ハウジングまたは外側ハウジング側に向って突出させてもよい。
【００１２】
電気プラグを、プラスチックから、例えば射出成形により成形してもよい。射出成形により、原料から完成したプラスチック部品にまで迅速かつ正確に製造することができる。特に部品数が多い場合に、射出成形により電気プラグの迅速かつ全自動の製造を実現することができる。
【００１３】
時間のかかる成形品の製造のない迅速な製造のために、電気プラグを３Ｄ印刷により製造してもよい。この代わりとして、電気プラグを浸漬法により製造してもよい。
【００１４】
さらに有利な構成によれば、弾性押圧要素は別個の部品、例えば金属ばねであってもよく、これを内側ハウジングまたは外側ハウジングに装着してもよい。これにより、欠陥の場合に、外側ハウジングまたは内側ハウジング全体を交換する必要がなく、押圧要素を容易に交換することができる。
【００１５】
さらに有利な構成によれば、少なくとも２つの押圧要素を、内側ハウジングと外側ハウジングとの間の２つの隣接する外側面に配置してもよい。これにより、外側ハウジング内での内側ハウジングの安定性が向上し、外側ハウジング内での内側ハウジングの傾きが防止される。相互差込みプラグの場合、押圧要素は内側ハウジングと外側ハウジングとの間の間隙にわたって延びることができ、押圧要素を内側ハウジングまたは外側ハウジングの支持面で支持することができる。これにより、外側ハウジングにおける内側ハウジングの安定性が高まる。
【００１６】
支持面は、内側ハウジングに面した外側ハウジングの内面であっても、外側ハウジングに面した内側ハウジングの外面であってもよい。
【００１７】
傾き動作が小さく固定が強力な小型電気プラグの場合、少なくとも１つの押圧要素が、２つの隣接する外側面の角部にわたって延びることができる。
【００１８】
さらに有利な構成によれば、少なくとも２つの押圧要素を、内側ハウジングと外側ハウジングとの間で、内側ハウジングに関して相互に対向する外側面に配置してもよい。これにより、圧入接続は内側ハウジングに関して対向する外側面に均一に作用し、発生する振動を弾性押圧要素により均一に吸収することができる。
【００１９】
空間条件または寸法に応じて、少なくとも３つの押圧要素を３つの異なる外側面に配置することができる。これにより、内側ハウジングの傾き抵抗が向上し、弾性押圧要素による振動吸収が強化される。
【００２０】
外側ハウジング内での内側ハウジングの固定を向上させ、プラグの振動をさらに制限するために、好ましい構成によれば、少なくとも１つの弾性押圧要素を、ハウジングのすべての外側面にそれぞれ配置することができる。
【００２１】
少なくとも２つの弾性押圧要素を、外側面に、好ましくは長手方向に配置された外側面の異なる端部に配置して、電気プラグの安定性を高めることができる。
【００２２】
少なくとも１つの押圧要素は、ばねタブを有することができる。これにより、ばねタブは板ばねのように作用する。ばねタブは、組立方向に平行な長手方向軸に沿って外側面上で延びることができ、これにより、組立方向への差込みが容易になり、差込み力が低減する。この代わりとして、ばねタブは、電気プラグの長手方向軸に対して略横断方向に延びることができる。これにより、電気プラグの長手方向軸に沿ってばねタブが必要とする空間が小さくなる。
【００２３】
さらに有利な構成によれば、少なくとも１つの弾性押圧要素を、長手方向軸に関して傾いた角度で配置することができる。
【００２４】
少なくとも１つの押圧要素が外側面の方向で組立方向に対して横断方向に偏向できるようにするために、外側面と押圧要素との間に凹部を配置してもよい。力を加えることにより、弾性押圧要素を外側面の方向に偏向させることができる。これにより、過大寸法を動的に補償することができ、差込み力を低減させることができる。
【００２５】
さらに有利な構成によれば、少なくとも１つの押圧要素は、外側ハウジングから内側ハウジングへ、または内側ハウジングから外側ハウジングへ突出する少なくとも１つのブラケットを備えていてもよい。ばねタブは、ブラケットに配置して、ブラケットにより外側面から離間させてよい。
【００２６】
ばねタブを、ブラケットに対して略９０°に配置することができる。これにより、大きいばね移動を有する略Ｌ字形の押圧要素を形成することができる。ブラケットから離れる方を向いたばねタブの自由端を、内側ハウジングまたは外側ハウジングの方向に強く偏向させることができる。
【００２７】
さらに有利な構成によれば、押圧要素を内側ハウジングまたは外側ハウジングのカラーに成形してもよい。カラーは凹部を備えて、凹部の方向に押圧要素を偏向させることができるようにしてもよい。
【００２８】
大きい押圧力を発生させるために、少なくとも１つの押圧要素は２つのブラケットを備えることができ、ばねタブは、一方のブラケットから他方のブラケットへ延びることができる。ブラケットを、長手方向軸に沿った面に配置するか、長手方向軸に対して横断方向に配置することが好ましい。これにより、押圧要素は、長手方向軸に沿った、または長手方向軸を横切る略Ｕ字形断面を有し、押圧力がブラケット間のばねタブの張力により増加する。
【００２９】
さらに有利な構成によれば、少なくとも１つの押圧要素は、突出する接触圧力面を有し、プラグを相互に差し込むと、この接触圧力面で、押圧要素が対向する外側ハウジングまたは内側ハウジングに支持される。接触圧力面を、内側ハウジングまたは外側ハウジングの支持面に対して相補的であるように構成することができる。接触圧力面は、支持面に寄り添うことができ、したがって、同時に支持面に接触することができる。これにより、圧入接続が生じる位置を正確に決めることができる。接触圧力面に、内側ハウジングまたは外側ハウジングの外側面の方向で押圧要素を組立方向に対して横断方向に偏向させる垂直抗力が作用する。そして、押圧要素のばね力が接触圧力面を通じて支持面に伝わることにより、圧入接続が生じる。
【００３０】
外側ハウジングを受けるために、内側ハウジングを少なくとも１つの押圧要素により過大寸法にしてもよい。取付け中に、押圧要素を、過大寸法により内側ハウジングまたは外側ハウジングの方向で組立方向に対して横断方向に偏向させて、過大寸法を低減させることができる。過大寸法を内側ハウジングと外側ハウジングとの間の間隙よりも大きくして、相互差込みプラグにおいて、押圧要素による押圧力が内側ハウジングと外側ハウジングとの圧入接続を生じさせるのに十分に大きくなるようにすることができる。
【００３１】
押圧要素は組立方向に延びる面取りを有して、差込み中の差込み力をさらに低減させることができる。
【００３２】
接触圧力面をばねタブに配置してもよい。この場合の接触圧力面の長手方向軸は、ばねタブの長手方向軸に対して横断方向に、またはばねタブの長手方向軸に平行に配置することができる。接触圧力面は、ばねタブを最大限に偏向させる位置をばねタブ上で決めることができる。
【００３３】
接触圧力面が支持面の方向に延びる高さは、少なくとも内側ハウジングと外側ハウジングとの間の最大の遊びに対応し得る。これにより、製造中、遊びのない圧入接続が常に確実に可能になる。したがって、接触圧力面は、ばねタブから内側ハウジングと外側ハウジングとの間の間隙内へ延びることができ、支持面で支持され得る。
【００３４】
接触圧力面を、面取りを有してばねタブに配置することができる。この面取りは組立方向に延びて、組立方向への差込みを簡単にすることができる。
【００３５】
接触圧力面は、円の弧の形状を有して、丸い支持面に対して相補的であるように構成され、同時にこの支持面に接触することができる。これにより、圧入接続の押圧力を支持面および接触圧力面に均一に分散させることができる。
【００３６】
支持面を、接触圧力面の方向に突出する隆起部により形成してもよい。これにより、内側ハウジングを外側ハウジング内に固定することができ、長手方向軸に沿った内側ハウジングと外側ハウジングとの間の間隙を生じさせて、例えばシールなどの外部構造部品を導入することができる。さらに、壁を隆起部により支持面で強化することができ、これにより、押圧力が大きい場合でも変形が生じなくなる。この代わりとして、支持面を、内側ハウジングまたは外側ハウジングの壁により直接形成してもよい。
【００３７】
接触圧力面は、好ましくは互いに平行に位置する少なくとも２つの相互に隣接するばねタブにわたって延びていてもよい。これにより、押圧力を増加させることができ、ばねタブに作用する負荷を低減させることができる。したがって、ばねタブの起こり得る負荷による破損を和らげる。
【００３８】
外側ハウジングは電気プラグの最も外側のハウジングであってもよい。しかしながら、電気プラグは、外側ハウジングが少なくとも部分的に挿入されるいくつかのハウジング部品を有していてもよい。したがって、外側ハウジングをさらなる外側ハウジング内で受けることができるため、これらの要素を見たときに、当該外側ハウジングを内側ハウジングとみなすことができる。例えば、プラグは互いに押し込み可能な２つのハウジング部品を有して、内側ハウジングを囲み、内側ハウジングの望ましくない抜けを防止することができる。動的圧入接続の方法により、少なくとも１つの弾性押圧要素で、連結をさらに強化することができ、過度の加圧による大きい差込み力を防止することができ、発生する振動を少なくとも１つの弾性押圧要素により吸収することができる。これにより、ハウジング部品の互いに対する動きが防止される。
【００３９】
加えて、ハウジング部品を、ハウジングインタロックによりロックしてもよい。ハウジングインタロックは、例えば、ハウジング部品の掛止ノーズに掛止する掛止アームを有していてもよい。これにより、動作中に望ましくない開口が防止される。
【００４０】
以下で、図面を参照しながら、本発明について有利な構成を用いて例としてさらに詳細に説明する。この例に示す有利なさらなる発展および構成は各々互いに独立しており、特定の適用において必要であれば、希望に応じて互いに組み合わせることができる。
【図面の簡単な説明】
【００４１】
【図１】取付け前の本発明の電気プラグの概略断面図である。
【図２】さらなる本発明の相互差込み電気プラグの概略断面図である。
【図３】図２に示す電気プラグのさらなる概略断面図である。
【図４】本発明の電気プラグの弾性押圧要素のさらなる構成の概略斜視図である。
【図５】本発明の電気プラグの弾性押圧要素のさらなる構成の概略斜視図である。
【発明を実施するための形態】
【００４２】
図１は、取付け前の本発明の電気プラグ１の概略断面図である。
【００４３】
電気プラグ１は、組立方向Ｍに沿って外側ハウジング２に差込み可能な内側ハウジング４を有する。
【００４４】
内側ハウジング４は、例えば、相補プラグ（図示せず）に接続可能なプラグストリップまたはチャンバブロックであってよい。この目的で、内側ハウジング４は、コンタクトレセプタクル５により長手方向軸Ｌに沿って区切られる。内側ハウジング４は細長基体６を有し、この細長基体６は、組立方向Ｍに略平行に配置された長手方向軸Ｌに沿って延びる。細長基体６は、４つの外側面７により組立方向Ｍに対して横断方向に境界付けられ、２つの隣接する外側面７が各外側面７に互いに略９０°に配置される。これにより、基体６は、組立方向Ｍに対して横断方向の略矩形断面を有する。押圧要素８は、外側面７にオーバモールドされる。内側ハウジング４と押圧要素８とは、一体部品１０として一体に形成され、例えば射出成形によりプラスチックから成形することができる。
【００４５】
弾性押圧要素８は、組立方向Ｍに対して横断方向に弾性偏向することができ、内側ハウジング４と外側ハウジング２との間の公差を組立方向Ｍに対して横断方向に補償し、かつ圧入接続により内側ハウジング４と外側ハウジング２とを互いに連結するように機能することができる。
【００４６】
弾性押圧要素８は、組立方向Ｍに対して横断方向に外側面７から外方へ延びるブラケット１２を有する。外側面７から離れる方を向いたブラケット１２の端部１４には、ばねタブ１６が配置される。このばねタブ１６は、組立方向Ｍに沿ってブラケット１２から略９０°離れて延び、内側ハウジング４の端面１８のオフセット１７の前で終端する。この端面１８は、組立方向Ｍで外側ハウジング２に面している。これにより、ばねタブ１６と外側面７との間に凹部１９が形成され、押圧要素８は略Ｌ字形断面を有する。図示しない例示的な構成において、ばねタブ１６は１つのブラケット１２から第２のブラケット１２へ延びることができ、押圧要素が略Ｕ字形断面を有するようになっている。
【００４７】
ばねタブ１６は、内側ハウジング４から離れて長手方向軸Ｌに対して横断方向に延びる接触圧力面２０を備えている。取付け状態において、接触圧力面２０は外側ハウジング２の支持面２２を押圧して、内側ハウジング４と外側ハウジング２との圧入接続を生じさせる。取付け中、接触圧力面２０に垂直抗力が作用し、ばねタブ１６は、内側ハウジング４の方向で組立方向Ｍに対して横断方向に偏向する。接触圧力面２０は支持面２２の方向に先細になっており、したがって、縁部に面取り２３を有する。面取り２３は長手方向軸Ｌに沿って延びており、段付き構成と比べて克服しなければならない抵抗が小さいため、組立方向Ｍへの差込みが容易になる。
【００４８】
外側ハウジング２は、内側ハウジング４を挿入可能なレセプタクル２４を有する。レセプタクル２４は、側壁２６により組立方向Ｍに対して横断方向に境界付けられ、略矩形断面を有し、内側ハウジング４に対して相補的であるように構成されている。外側ハウジング２の支持面２２は、内側ハウジング４の方向に突出する隆起部２８により形成される。
【００４９】
この例示的な構成において、外側ハウジング２は水密であり、取付け後に内側ハウジング４を保護するように囲む。
【００５０】
内側ハウジング４は、組立方向Ｍに対して横断方向の内幅３０を、内側ハウジング４に関して対向する外側面７に配置された２つの接触圧力面２０の間に有する。この内幅は、外側ハウジング２の対向する支持面２２の間の内幅３２よりも大きい。接触圧力面２０のない内側ハウジング４の内幅３３は内幅３２よりも小さいため、押圧要素８を用いない相互差込みの際には、内側ハウジング４と外側ハウジング２との間に間隙３４が生じる。押圧要素８を用いると、この位置で相互差込みを行うときに、間隙３４が接触圧力面２０により閉じ、支持面２２が接触する。これにより、内側ハウジング４を外側ハウジング２内に遊びなく固定することができる。
【００５１】
取付け中、押圧要素８は、過大寸法により、内側ハウジング４の方向で組立方向Ｍに対して横断方向に弾性偏向する。この過程において、押圧要素８はその接触圧力面２０を対応する支持面２２に押圧し、ばね力により外側ハウジング２と内側ハウジング４との圧入接続を生じさせる。取付け状態において、内側ハウジング４の内幅３０は、外側ハウジング２の内幅３２に略対応する。公差は弾性押圧要素８により補償される。これにより、内側ハウジング４を外側ハウジング２内に遊びなく固定することができる。さらに、過度の加圧による取付け中の大きい差込み力を、弾性押圧要素８により、定義しない形で低減させることができる。取付け中、弾性押圧要素８は、過大寸法により内幅３０と内幅３２との間で内側ハウジング４の外側面７の方向に偏向し、これにより過度の加圧を防止する。
【００５２】
安定した圧入接続を生じさせるために、組立方向Ｍに対して横断方向の接触圧力面２０の材料厚さは、組立方向Ｍに対して横断方向の間隙３４の幅よりも大きい。
【００５３】
この好ましい構成において、押圧要素８は、内側ハウジング４のそれぞれの外側面７に成形される。これにより、内側ハウジング４を外側ハウジング２内にしっかりと傾くことなく確実に固定することができる。電気プラグ１の空間条件および寸法に応じて、少なくとも１つの押圧要素８を外側面７に配置してもよく、少なくとも２つの押圧要素８を２つの相互に隣接する外側面７に配置しても、内側ハウジング４に関して相互に対向する２つの外側面７に配置してもよく、または少なくとも３つの押圧要素８を３つの外側面７に配置してもよい。さらに、押圧要素８を外側ハウジング２に配置してもよく、内側ハウジング４が相補支持面２２を備えていてもよい。支持面２２は、直接に外側面７であっても、接触圧力面２０の方向の隆起部により形成されていてもよい。
さらに、いくつかの相互に離間した押圧要素８を、長手方向軸Ｌに沿って外側面７に配置してもよい。
【００５４】
好ましくは、すべての外側面７が少なくとも２つの押圧要素８を備え、１つの押圧要素８が長手方向軸Ｌに沿って位置する外側面７の端部にそれぞれ配置される。これにより、内側ハウジング４の傾きが防止される。
【００５５】
さらなる本発明の電気プラグ１の概略断面図が、図２および図３にそれぞれ示される。
【００５６】
この構成において、外側ハウジング２は、２つの別個のハウジング部分３５、３６から構成されている。ここでは、組立方向Ｍにおける後側ハウジング部分３５が、組立方向Ｍにおける前側ハウジング部分３６により部分的に囲まれ、押圧要素８により生じる圧入接続によって前側ハウジング部分３６に遊びなく接続される。
【００５７】
内側ハウジング４は、組立方向Ｍで後側ハウジング部分３５に挿入され、少なくとも１つの押圧要素８により生じる圧入接続によって固定される。この場合、ばねタブ１６を有する押圧要素８が、互いに略９０°に配置されている２つの隣接する外側面７の間の丸い角部３８にわたってそれぞれ延びている。押圧要素８は、角部３８にわたって延びる凹部１９を備えているカラー３７による。これにより、それぞれの角部３８において、ばねタブ１６が後側ハウジング部分３５の側壁２６の支持面２２と凹部１９との間に配置される。ばねタブ１６は、支持面２２の方向に突出する接触圧力面２０をそれぞれ備えている。接触圧力面２０は、球の一区分の形状を有し、頂点が支持面２２側を向く。したがって、接触圧力面２０は、相互に隣接する側壁２６の間の丸い角部により形成される支持面２２に対して相補的である。
【００５８】
図３において、内側ハウジング４と後側ハウジング部分３５との間に間隙３４が延びる様子が見られる。接触圧力面２０は、この間隙３４内に突出し、後側ハウジング部分３５の支持面２２に支持されることにより、内側ハウジング４を後側ハウジング部分３５内に圧入接続により遊びなく固定する。
【００５９】
内側ハウジング４を後側ハウジング部分３５に差し込んだときに、ばねタブ１６を凹部１９の方向に偏向させて、過度の加圧による大きい差込み力を避けることができる。
【００６０】
内側ハウジング４は、組立方向Ｍに沿って細長基体６を有し、４つのコンタクトレセプタクル５により長手方向軸Ｌに沿って区切られる。コンタクトレセプタクル５は正方形に配置され、それぞれ相補的な相手側プラグのコンタクトを受けることができる。基体６は、後側ハウジング部分３５により組立方向Ｍに囲まれた後部４０を有する。この後部４０は組立方向Ｍに対して横断方向の内幅３０を有し、この内幅３０は後側ハウジング部分３５のレセプタクルの内幅３２と略同じ大きさであるため、内側ハウジング４の、そして、後側ハウジング部分３５の、遊びのない固定を確実にする。
【００６１】
後部４０は、組立方向Ｍにおける前端部および後端部のそれぞれにおいて、外側面７に弾性押圧要素８を備えていることが好ましい。これにより、後側ハウジング部分３５内での内側ハウジング４の傾きが防止される。
【００６２】
細長基体６は、基体６の周りで組立方向Ｍに対して横断方向に延びる段４２により均一に小幅になっている。小幅部４４は、段４２から組立方向Ｍと逆方向に延び、組立方向Ｍにおいて細長基体６の前端部を形成する。
【００６３】
後部４０は、後側ハウジング部分３５により囲まれる。前側ハウジング部分３６は長手方向軸Ｌに沿って延び、組立方向Ｍで内側ハウジング４上に被さる。この目的で、前側ハウジング部分３６は開口部により長手方向軸Ｌに沿って区切られる。開口部４６は、壁４７により組立方向Ｍに対して横断方向に境界付けられ、組立方向Ｍに対して横断方向の略矩形断面を有する。開口部４６は小幅部４４に対して相補的な輪郭を有する。さらに、弾性押圧要素８を小幅部４４に配置して、内側ハウジング４を前側ハウジング部分３６内に遊びなくかつ傾くことなく固定することができる。前側ハウジング部分３６は、段４２の限界止めまで長手方向軸Ｌに沿って組立方向Ｍに延びる。
【００６４】
段４２の限界止めに、前側ハウジング部分３６は肩部４８を有し、この肩部４８により開口部４６が広がり、さらに組立方向Ｍに延びる。この過程において、前側ハウジング部分３６は後側ハウジング部分３５を囲む。前側ハウジング部分３６は、一側に、ハウジングインタロック５０を組立方向Ｍに対して横断方向に備えている。このハウジングインタロック５０は、後側ハウジング部分３５の掛止ノーズに掛止可能な掛止アームを有し、この掛止ノーズは、組立方向Ｍに対して横断方向に側壁から突出する。これにより、動作中の不注意による開口および組立方向Ｍと逆方向への内側ハウジング４の抜けを防止する。
【００６５】
さらに、前側ハウジング部分３６は、開口部４６の少なくとも一側に、組立方向Ｍに対して横断方向に弾性押圧要素８を備え、この弾性押圧要素は、前側ハウジング部分３６の壁４７から成形される。弾性押圧要素８はばねタブ１６を有し、このばねタブ１６は、長手方向軸Ｌに沿って延び、組立方向Ｍに対して横断方向に、後側ハウジング部分３５の側壁２６の方向に突出し、後側ハウジング部分３５の側壁２６の外面に押圧される。この外面は前側ハウジング部分３６の壁側を向く。この構成において、ばねタブ１６の材料厚さは壁４７の材料厚さに対応する。これにより、前側ハウジング部分３６は、弾性押圧要素８により生じる圧入接続によって後側ハウジング部分３５に接続される。
【００６６】
ばねタブ１６は、壁４７の切抜きにより成形され、この切抜きは、長手方向軸Ｌに沿って延び、長手方向軸Ｌに沿って位置する両端部５１、５２で壁４７に接続される。ばねタブ１６は、長手方向軸Ｌに略平行に延びる接触圧力面２０と、２つのばねアーム５４、５６とを有し、これらのばねアーム５４、５６は、一端部５１、５２から接触圧力面２０へ、長手方向軸Ｌの後側ハウジング部分３５に関して傾いた角度でそれぞれ延び、この接触圧力面で終端する。これにより、組立方向Ｍに対して横断方向の押圧要素８の弾性が、ばねアーム５４、５６により確保される。
【００６７】
弾性押圧要素８により、差し込む要素と受ける要素との間の公差を克服することができる。公差によって、一方では、過度の加圧が生じることがあり、その結果、定義できない大きい差込み力が生じる。他方では、要素間に遊びが生じることがあり、その結果、これらの要素が動きおよび振動により損傷することがある。弾性押圧要素８により、過度の加圧があるときに、差込み中に押圧要素８に作用する垂直抗力の方向に押圧要素８を偏向させ、過度の加圧による大きい差込み力を低減させる。さらに、差込み状態における遊びが押圧要素８によりゼロになるため、内側ハウジング４と外側ハウジング２、または外側ハウジング２の前側ハウジング部分３６と後側ハウジング部分３５との圧入接続を生じさせる。
【００６８】
圧入接続により、例えば内側ハウジング４を外側ハウジング２から取り外すために必要な引張力が小さくて済むため、電気プラグ１の取外しおよびメンテナンスが簡単になる。
【００６９】
図４は、本発明のプラグ１の押圧要素８のさらに有利な構成を示す。
【００７０】
押圧要素８は２つのカラー３７により成形され、これらのカラー３７は内側ハウジング４の周りに延び、組立方向Ｍに対して横断方向に突出し、組立方向Ｍに互いに離間している。カラー３７は互いに平行に配置され、内側ハウジング４の少なくとも１つの外側面７の凹部１９により組立方向Ｍに区切られる。凹部１９は、外側面７に平行な組立方向Ｍに対して横断方向に延びる。
【００７１】
これにより、各カラー３７は、凹部１９と内側ハウジング４の外側面７から離れた方を向くカラー３７の端部との間にばねタブ１６を有し、このばねタブ１６は、外側面７に平行な組立方向Ｍに対して横断方向に延びる。したがって、押圧要素８は組立方向Ｍに対して横断方向の略Ｕ字形断面を有する。
【００７２】
ばねタブ１６は接触圧力面２０を備え、この接触圧力面２０は組立方向Ｍに離れて突出し、２つのばねタブ１６を互いに外側面７の方向に接続する。この場合の接触圧力面２０は、互いに向き合うばねタブ１６の表面の間、および外側面７から離れた方を向くばねタブ１６の表面上に延びる。接触圧力面２０は、組立方向Ｍおよび組立方向Ｍと逆方向において、面取り２３で終端する。この面取り２３は、外側面７から離れた方を向くばねタブ１６の表面側へ延びて、差込みおよび引抜きを容易にする。
【００７３】
図５は、本発明の電気プラグ１の押圧要素８のさらに有利な構成を示す。
【００７４】
押圧要素８は、内側ハウジング４において、組立方向Ｍ後部に位置する端部５８で外側面７に配置される。
【００７５】
押圧要素８は、互いに平行に配置された２つのブラケット１２を有し、これらのブラケット１２は、外側面７の対向する角部３８で、内側ハウジング４の外側面７から組立方向Ｍに対して横断方向に突出する。ブラケット１２は、組立方向Ｍに対して横断方向に延びるばねタブ１６により互いに接続される。これにより、ばねタブ１６は、ブラケット１２の間および外側面７とばねタブ１６との間に延びる凹部１９により、外側面７から組立方向Ｍに対して横断方向に離間している。
【００７６】
押圧要素８は、組立方向Ｍに対して横断方向の略Ｕ字形断面を有する。ここでは、力を加えたときに、ばねタブ１６をレセプタクル５の方向に偏向させることができる。これにより、過大寸法による大きい差込み力が防止される。ばねタブ１６は、外側面７から離れる方向へ突出する接触圧力面２０を備え、この接触圧力面２０により、プラグ１を相互に差し込んだときに、内側ハウジング４が対向する外側ハウジング２に支持される。
【００７７】
プラグ１の寸法および空間条件に応じて、異なる構成の押圧要素８を内側ハウジング４および／または外側ハウジング２に配置してもよい。
【符号の説明】
【００７８】
１  電気プラグ
２  外側ハウジング
４  内側ハウジング
５  コンタクトレセプタクル
６  細長基体
７  内側ハウジングの外側面
８  弾性押圧要素
１０  一体部品
１２  ブラケット
１４  外側面から離れた方を向くブラケットの端部
１６  ばねタブ
１７  オフセット
１８  端面
１９  凹部
２０  接触圧力面
２２  支持面
２３  面取り
２４  レセプタクル
２６  外側ハウジングの外側面
２８  隆起部
３０  内側ハウジングの内幅
３２  外側ハウジングのレセプタクルの内幅
３３  押圧要素のない内側ハウジングの内幅
３４  間隙
３５  後側ハウジング部分
３６  前側ハウジング部分
３７  カラー
３８  丸い角部
４０  後部
４２  段
４４  小幅部
４６  開口部
４７  壁
４８  肩部
５０  ハウジングインタロック
５１  押圧要素の端部
５２  押圧要素の端部
５４  ばねアーム
５６  ばねアーム
５８  内側ハウジングの端部
Ｌ  長手方向軸
Ｍ  組立方向
【図１】
2019165000.tif 000003
【図２】
2019165000.tif 000004
【図３】
2019165000.tif 000005
【図４】
2019165000.tif 000006
【図５】
2019165000.tif 000007
【外国語明細書】
2019165000000001.pdf